(57)【特許請求の範囲】
【請求項１】
化粧料を収納する一方、この化粧料の上面に切削皿を配置してこれを回転することにより、この切削皿の底面に形成した切削歯で化粧料を削り取るようにした化粧料容器において、
上記切削皿の底面下側に上記切削歯の下側を覆って取り付けられ、化粧料を通過させることによりこれを微粉化する粉砕板を備えたことを特徴とする化粧料容器。
【請求項２】
上記粉砕板が小穴を有するシートであることを特徴とする請求項１に記載の化粧料容器。
【発明の詳細な説明】
【０００１】
【発明の属する技術分野】
本発明は、化粧料を切削して粉状にして用いるようになった化粧料容器に関する。
【０００２】
【従来の技術】
一般に、パウダーなどの粉状化粧料は圧縮により固形化した状態で、コンパクトと称される化粧料容器に収納して携帯し、その化粧料の使用時には化粧料をパフで擦り取るようにしている。ところが、化粧料を擦り取るためには、パフの植毛部分を短くするなどして堅めにする必要があり、この堅めのパフを用いたことにより化粧感が悪いものとなっている。そこで、化粧料をその都度削り取って粉状にし、この粉状となった化粧料を使用することにより、毛足を長くする等して柔らかくしたパフの使用が可能となる。
【０００３】
このように化粧料を削り取るようにした化粧料容器が実公平５−３８６６１号公報に提案されている。即ち、このような化粧料容器は、容器本体に対して回転しないように化粧料を収納するとともに、この化粧料の上方に切削板を回転自在に設けて構成し、この切削板を回転しつつ化粧料を削り取るようになっている。上記切削板には長穴として形成される切削歯が多数形成され、これら切削歯は放射状に配置されるとともに、この放射状となる中心を切削板の回転中心から偏心させるようになっている。
【０００４】
【発明が解決しようとする課題】
しかしながら、かかる従来の化粧料容器にあっては、切削板を回転して化粧料を切削歯で削り取るようになっているが、この切削歯は切削板を開口しただけのものであり、このような切削歯で化粧料の表面を削り取ると、切削された化粧料は完全な粉末にならずに、薄いシート状や小さな固まりとなって削り出される。このため、これをパフに付着させて顔に使用する際に固まり部分がそのまま顔に付着されるため、均一に塗布しずらく化粧のりが悪いものとなってしまう。
【０００５】
そこで、本発明はかかる従来の課題に鑑みて成されたもので、化粧料を切削歯によって削り取るのみのならず、化粧料を通過させてより細かく粉砕する粉砕板を設けて、削り出した化粧料をより微細な粉末状にするようにした化粧料容器を提供することを目的とする。
【０００６】
【課題を解決するための手段】
かかる目的を達成するために本発明の化粧料容器の構成を請求項毎に以下述べる。
【０００７】
（１）請求項１の化粧料容器は、化粧料を収納する一方、この化粧料の上面に切削皿を配置してこれを回転することにより、この切削皿の底面に形成した切削歯で化粧料を削り取るようにした化粧料容器において、上記切削皿の底面下側に上記切削歯の下側を覆って取り付けられ、化粧料を通過させることによりこれを微粉化する粉砕板を備えたことを特徴とする。
【０００８】
▲２▼請求項２の化粧料容器は、上記粉砕板を、小穴を有するシートとする。
【０００９】
以上の構成による本発明の化粧料容器の作用を請求項毎に以下述べる。
【００１０】
（１）請求項１では、切削皿の底面下側に切削歯の下側を覆う粉砕板を取り付けたので、切削皿を回転することにより化粧料を切削歯で削り取るのみならず、上記粉砕板によりこの化粧料を粉砕することができるため、切削歯による削り取りと粉砕板による粉砕とによって、削り取った化粧料をより微粉化して細かい粉末状にすることができる。
【００１１】
▲２▼請求項２では、上記粉砕板を、小穴を有するシートとしたことにより、切削皿の回転により削り取った化粧料を小穴に強制的に通過させて、当該化粧料を細かく粉砕することができる。
【００１２】
【発明の実施の形態】
以下、本発明の実施形態を添付図面を参照して詳細に説明する。図１から図５は本発明の化粧料容器の第１実施形態を示し、図１は蓋体を取り外して一部を断面で示す斜視図、図２は全体の断面図、図３は切削歯の１つを拡大して示す平面図、図４は図３中Ａ−Ａ線断面図、図５は使用状態を示す断面図である。
【００１３】
この実施形態の化粧料容器１０は、化粧料１２を収納する一方、この化粧料１２の上面に切削皿１４を配置してこれを回転（回転方向Ｘ）することにより、この切削皿１４の底面１４ａに形成した切削歯１６で化粧料１２を削り取って、これを使用するようになっている。
【００１４】
即ち、上記化粧料容器１０は、図１，図２に示すように容器本体１８と、この容器本体１８を開閉する蓋体２０と、容器本体１８の内側に嵌着される中枠２２とを備え、この中枠２２内に上記化粧料１２を収容した中皿２４が収納されるとともに、この中枠２２の上端部に上記切削皿１４が設けられるようになっている。
【００１５】
上記容器本体１８は底面１８ａと周壁１８ｂとによって円形皿状に形成され、周壁１８ｂの上端部に上記蓋体２０を嵌合するための小径部１８ｃが形成されている。上記蓋体２０は周縁部に筒状の周壁２０ａが形成されるとともに、該周壁２０ａの下端部に大径部２０ｂが形成され、蓋体２０の閉止時はこの大径部２０ｂが上記容器本体１８の小径部１８ｃに嵌合されるようになっている。
【００１６】
上記中枠２２は筒状に形成され、容器本体１８の周壁１８ｂから内方に適宜間隔を隔てて配置されるとともに、その上端部は容器本体１８から突出されて、その外周部に係合突部２２ａが突設される。また、上記中枠２２の外側には、容器本体１８の周壁１８ｂ内周に密接する嵌合部２２ｂが突設され、この嵌合部２２ｂが周壁１８ｂ内に嵌合されることにより、容器本体１８と中枠２２との相対回転が阻止される。更に、上記嵌合部２２ｂの下端部外側には、上記周壁１８ｂの内周に形成された周溝１８ｄに係合される突部２２ｃが突設され、これら周溝１８ｄと突部２２ｃとの係合で中枠２２の抜止めが行われる。
【００１７】
上記中皿２４は底面２４ａと周壁２４ｂとによって円形皿状に形成され、この中皿２４内に化粧料１２が圧縮により固形化されて収容される。そして、該中皿２４はこれと中枠２２との間に設けられた凹凸部２６によって、中枠２２の内周に上下摺動可能に嵌合されるとともに、中枠２２に対する相対回転が阻止される。また、容器本体１８の底面１８ａには、上記中枠２２の内方に位置して板ばね２８が設けられ、この板ばね２８の付勢力によって中皿２４は上方に押圧される。
【００１８】
上記切削皿１４は、底面１４ａと周壁１４ｂとによって円形皿状に形成され、周壁１４ｂの外径は上記中皿２４の内側に密接嵌合される大きさに形成される。該周壁１４ｂの上端部に上記中枠２２の上端に当接するフランジ１４ｃが形成され、このフランジ１４ｃの周縁部に形成した係合部１４ｄが、上記中枠２２の係合突部２２ａに係合されて、相対回転自在に抜止めされる。化粧料容器１０を使用しないときには、図２に示したように上記切削皿１４内にパフ３０を収納しておくことができる。
【００１９】
ところで、上記切削皿１４の底面１４ａには図１に示したように多数の切削歯１６が形成されるが、これら切削歯１６は図３に示すように長穴となる開口部１４ｅとして形成される。そして、これら長穴状の切削歯１６の長手方向を径方向に指向させて、切削皿１４に全体的に放射状に配置することにより構成してある。このとき、放射状に配置された多数の切削歯１６は、いずれかが切削皿１４の回転方向に互いにオーバーラップされるようになっている。また、上記切削歯１６は図４に示したように上記開口部１４ｅの回転方向Ｘとは反対側の側縁を下方に向かって鋭角に延設し、この鋭角延設部を実質的な歯部１６ａとしてある。また、上記切削皿１４の底面１４ａの回転中心部には、三角形状の中心部切削歯３２が形成されている。
【００２０】
ここで、本実施形態では上記切削皿１４の底面１４ａ下側に、上記切削歯１６，３２の下側を覆って、化粧料を通過させることによりこれを微粉化する粉砕板として小穴を有するシート、例えばメッシュ状シート３４を取り付けてある。このメッシュ状シート３４は、上記切削歯１６，３２の歯部１６ａの突出形状に沿った凹部３４ａが、それぞれの切削歯１６，３２に対応して形成され、この凹部３４ａが各歯部１６ａに被さるようになっている。
【００２１】
以上の構成により本実施形態の化粧料容器１０にあっては、容器本体１８内に中枠２２と化粧料１２が収容された中皿２４と切削皿１４とがセットされた状態では、中枠２２は容器本体１８に対し嵌合されて一体化されており、切削皿１４は係合部１４ｄが係合突部２２ａに係合されて、中枠２２に対して上方への浮き上がりが阻止されつつ回転自在になっている。一方、中皿２４は凹凸部２６を介して中枠２２に対してその回転が阻止されつつ上下移動可能となっている。従って、板ばね２８の付勢力により中皿２４は上方に押圧されて、化粧料１２の上面は切削皿１４の底面１４ａ下側に常時圧接されることになる。
【００２２】
そして、上記化粧料容器１０の使用時には、図５に示すように蓋体２０を容器本体１８から取り外して切削皿１４を露出させ、この切削皿１４の周縁部を回転させることにより、これの底面１４ａに形成した切削歯１６によって化粧料１２の上面を削り取ることができる。このとき、放射状に配置された上記切削歯１６は、いずれかの切削歯１６を回転方向に互いにオーバーラップさせてあるので、化粧料１２の全面をむら無く削り取ることができる。また、化粧料１２の中心部は中心部切削歯３２により、上記切削歯１６によって削り取られる部分と均一に削り取られる。
【００２３】
このようにして削り取った化粧料は、粉状となって切削歯１６の開口部１４ｅから切削皿１４内方に進入して溜まり、このように切削皿１４内に溜まった粉状の化粧料をパフ３０に付着させて顔に塗布することができる。このとき、本実施形態では上記切削皿１４の底面１４ａ下側に切削歯１６，３２の下側を覆ってメッシュ状シート３４が取り付けられるので、化粧料１２を切削歯１６で削り取るのみならず、上記メッシュ状シート３４の小穴３４ｂ部分に化粧料を強制的に通過させてこの化粧料１２を粉砕することができ、切削歯１６による削り取りとメッシュ状シート３４による粉砕とによって、削り取った化粧料をより微粉化して細かい粉末状にすることができる。このとき、上記メッシュ状シート３４の小穴３４ｂは全てが同径で形成されているため、このメッシュ状シート３４で微粉化した粉末状の化粧料は均一化される。
【００２４】
このように化粧料をより微粉化できることにより、これをパフ３０に付着して顔に塗布する場合にも、化粧むらを無くして化粧のりを良くすることができる。
【００２９】
図６，図７は本発明の第２実施形態を示し、図６は切削歯の１つを拡大して示す平面図、図７は図６中Ｃ−Ｃ線断面図で、上記実施形態と同一構成部分に同一符号を付して重複する説明を省略して述べる。
【００３０】
即ち、この実施形態では粉砕板として多孔シート３６を用い、この多孔シート３６を、切削歯１６，３２の下側を覆うようにして切削皿１４に取付けてある。この多孔シート３６は小孔３６ａを無数に形成した薄板として構成される。また、この実施形態にあっても多孔シート３６には切削歯１６，３２の歯部１６ａの突出形状に沿った凹部３６ｂが形成され、この凹部３６ｂを各歯部１６ａに被せてある。
【００３１】
従って、この実施形態にあっても上記第１実施形態と同様に、切削板１４を回転して化粧料１２を削り取る際に、化粧料が強制的に多孔シート３６に通過されて粉砕されることにより、化粧料を微粉化することができる。
【００３３】
ところで、上記実施形態では容器本体１８と蓋体２０とを分離して、この蓋体２０を容器本体１８に嵌合するようにした場合を開示したが、これに限ることなく螺合構造としてもよく、また、容器本体１８と蓋体２０とを蝶番を介して開閉自在に連結することもできる。更に、容器本体１８および蓋体２０の外形形状は円形に限ることなく、多角形状に形成してもよい。
【００３４】
【発明の効果】
以上説明したように本発明の化粧料容器は、以下に述べるような各請求項毎の優れた効果を奏する。
【００３５】
（１）請求項１の化粧料容器では、切削皿の底面下側に切削歯の下側を覆う粉砕板を取り付けたので、切削皿を回転することにより化粧料を切削歯で削り取るのみならず、上記粉砕板によりこの化粧料を粉砕することができるため、切削歯による削り取りと粉砕板による粉砕とによって、削り取った化粧料をより微粉化して細かい粉末状にすることができる。従って、このように微細な粉末状にした化粧料を使用することができるため、これをパフに付着して顔等に塗布する場合にも、化粧むらが無く化粧のりを大幅に向上することができる。
【００３６】
▲２▼請求項２の化粧料容器では、粉砕板を、小穴を有するシートとしたことにより、切削皿の回転により削り取った化粧料を小穴に強制的に通過させて、当該化粧料を細かく粉砕することができる。そしてこのような化粧料の微粉化を、シートを単に切削皿に設けるという簡単な構造で確保することができる。
【図面の簡単な説明】
【図１】  本発明の化粧料容器の第１実施形態を示す蓋体を取り外して一部を断面した斜視図である。
【図２】  本発明の第１実施形態を示す全体の断面図である。
【図３】  本発明の第１実施形態を示す切削歯の１つを拡大した平面図である。
【図４】  本発明の第１実施形態を示す図３中のＡ−Ａ線断面図である。
【図５】  本発明の第１実施形態を示す使用状態の断面図である。
【図６】  本発明の第２実施形態を示す切削歯の１つを拡大した平面図である。
【図７】  本発明の第２実施形態を示す図６中Ｃ−Ｃ線断面図である。
【符号の説明】
１０  化粧料容器
１２  化粧料
１４  切削皿
１４ａ  底面
１４ｅ  開口部
１６  切削歯
１６ａ  歯部
１８  容器本体
２０  蓋体
２２  中枠
２４  中皿
３２  中央部切削歯
３４  メッシュ状シート
３６  多孔シート
【図１】
0003897887.tif 000002
【図２】
0003897887.tif 000003
【図３】
0003897887.tif 000004
【図４】
0003897887.tif 000005
【図５】
0003897887.tif 000006
【図６】
0003897887.tif 000007
【図７】
0003897887.tif 000008